(57)【要約】【課題】本発明は、液晶ディスプレイを提供するものである。【解決手段】液晶ディスプレイは、アレイ基板（２０）と、カラーフィルタ基板（３０）とを含み、アレイ基板（２０）上には、第１薄膜トランジスタ層（２１）及び第１カラーフィルタ層（２２）が設けられており；カラーフィルタ基板（３０）はアレイ基板（２０）に対向して設けられており、カラーフィルタ基板（３０）上には、第２薄膜トランジスタ層（３１）及び第２カラーフィルタ層（３２）が設けられており、第１カラーフィルタ層（２２）のカラーレジストと、第２カラーフィルタ層（３２）のカラーレジストは、互い違いに配列されている。本発明では、透過率を高め、且つエネルギー消費を削減することができる。【選択図】図４
2020531897.tif 000002
【特許請求の範囲】
【請求項１】
アレイ基板と、カラーフィルタ基板と、遮光層とを含む液晶ディスプレイにおいて、
前記アレイ基板上には、第１薄膜トランジスタ層及び第１カラーフィルタ層が設けられており；
前記カラーフィルタ基板は前記アレイ基板に対向して設けられており、前記カラーフィルタ基板上には、第２薄膜トランジスタ層及び第２カラーフィルタ層が設けられており、前記第１カラーフィルタ層のカラーレジストと、前記第２カラーフィルタ層のカラーレジストは、互い違いに配列されており、前記第１薄膜トランジスタ層の薄膜トランジスタと、前記第２薄膜トランジスタ層の薄膜トランジスタは、互いに対向するように配置されており；
前記遮光層は、前記アレイ基板側で、前記第１薄膜トランジスタ層の薄膜トランジスタと垂直に対応する方向に設けられていることを特徴とする液晶ディスプレイ。
【請求項２】
アレイ基板と、カラーフィルタ基板とを含む液晶ディスプレイにおいて、
前記アレイ基板には、第１薄膜トランジスタ層及び第１カラーフィルタ層が設けられており；
前記カラーフィルタ基板は前記アレイ基板に対向して設けられており、前記カラーフィルタ基板上には、第２薄膜トランジスタ層及び第２カラーフィルタ層が設けられており、前記第１カラーフィルタ層のカラーレジストと、前記第２カラーフィルタ層のカラーレジストは、互い違いに配列されていることを特徴とする液晶ディスプレイ。
【請求項３】
前記第１薄膜トランジスタ層の薄膜トランジスタと、前記第２薄膜トランジスタ層の薄膜トランジスタは、互いに対向するように配置されていることを特徴とする請求項２に記載の液晶ディスプレイ。
【請求項４】
前記アレイ基板側で、前記第１薄膜トランジスタ層の薄膜トランジスタと垂直に対応する方向上に、遮光層が設けられていることを特徴とする請求項２に記載の液晶ディスプレイ。
【請求項５】
前記遮光層は、前記第１薄膜トランジスタ層の薄膜トランジスタの上方に配置されていることを特徴とする請求項４に記載の液晶ディスプレイ。
【請求項６】
前記遮光層は、前記第１薄膜トランジスタ層の薄膜トランジスタの下方に配置されていることを特徴とする請求項４に記載の液晶ディスプレイ。
【請求項７】
前記カラーフィルタ基板側で、前記第２薄膜トランジスタ層の薄膜トランジスタと垂直に対応する方向上に、遮光層が設けられていることを特徴とする請求項２に記載の液晶ディスプレイ。
【請求項８】
前記遮光層は、前記第２薄膜トランジスタ層の薄膜トランジスタの上方に配置されていることを特徴とする請求項７に記載の液晶ディスプレイ。
【請求項９】
前記遮光層は、前記第２薄膜トランジスタ層の薄膜トランジスタの下方に配置されていることを特徴とする請求項７に記載の液晶ディスプレイ。
【請求項１０】
前記第１薄膜トランジスタ層の薄膜トランジスタ上に第１フィルタ層が設けられており、
前記第２薄膜トランジスタ層の薄膜トランジスタ上に第２フィルタ層が設けられていることを特徴とする請求項２に記載の液晶ディスプレイ。
【請求項１１】
前記第１カラーフィルタ層のカラーレジストと、前記第２カラーフィルタ層のカラーレジストとを、赤色カラーレジスト、緑色カラーレジスト、青色カラーレジストの順に従って互い違いに配列したことを特徴とする請求項２に記載の液晶ディスプレイ。
【請求項１２】
前記第１カラーフィルタ層のカラーレジストと、前記第２カラーフィルタ層のカラーレジストとを、赤色カラーレジスト、緑色カラーレジスト、青色カラーレジスト、白色カラーレジストの順に従って互い違いに配列したことを特徴とする請求項２に記載の液晶ディスプレイ。
【請求項１３】
前記第１カラーフィルタ層のカラーレジストと、前記第２カラーフィルタ層のカラーレジストとを、赤色カラーレジスト、緑色カラーレジスト、青色カラーレジスト、黄色カラーレジストの順に従って互い違いに配列したことを特徴とする請求項２に記載の液晶ディスプレイ。
【請求項１４】
前記第１薄膜トランジスタ層は、離間して配列された複数の薄膜トランジスタを含むことを特徴とする請求項２に記載の液晶ディスプレイ。
【請求項１５】
前記第２薄膜トランジスタ層は、離間して配列された複数の薄膜トランジスタを含むことを特徴とする請求項２に記載の液晶ディスプレイ。
【発明の詳細な説明】
【技術分野】
【０００１】
本発明は液晶表示の分野に関するものであり、特に液晶ディスプレイに関する。
【背景技術】
【０００２】
液晶ディスプレイは、高画質、小体積、軽量、低電圧駆動、低消費電力及び広汎用性等の利点を有するため、ブラウン管（ｃａｔｈｏｄｅｒａｙｔｕｂｅ，ＣＲＴ）に取って代わり、次世代ディスプレイの主流となっている。液晶ディスプレイは、主に液晶表示パネル（Ｌｉｑｕｉｄ  Ｃｒｙｓｔａｌ  Ｐａｎｅｌ）と、バックライトモジュール（Ｂｌａｃｋ  Ｌｉｇｈｔ  Ｍｏｄｕｌｅ）とで構成されている。バックライトモジュールによって提供される面光源（通常は白色光源を使用）は、液晶表示パネルの制御を経た後、グレースケールに表示され得る。
【０００３】
液晶ディスプレイの色彩表現上、通常は液晶表示パネル内のカラーフィルタ層によってバックライトモジュールの光を混色することで、色彩を表示するものとしている。薄膜トランジスタ液晶ディスプレイ（Ｔｈｉｎ−Ｆｉｌｍ  Ｔｒａｎｓｉｓｔｏｒ  Ｌｉｑｕｉｄ  Ｃｒｙｓｔａｌ  Ｄｉｓｐｌａｙ，ＴＦＴ−ＬＣＤ）を例にすると、各ピクセルに対応するカラーフィルタ（Ｃｏｌｏｒ  Ｆｉｌｔｅｒ）は通常、赤色、緑色及び青色のカラーレジスト（Ｃｏｌｏｒ  ｒｅｓｉｓｔ）で構成されており、且つ各カラーレジストのサイズ及びその配列間隔はいずれも肉眼で判別できる範囲より小さいため、肉眼で見る液晶ディスプレイには、異なる色の光（赤色光、緑色光及び青色光）を混合することで得られる色彩が表示される。
【０００４】
図１は、従来の薄膜トランジスタ液晶ディスプレイの構造概略図である。図１を参照して、前記薄膜トランジスタ液晶ディスプレイは、アレイ基板１０と、前記アレイ基板１０に対向して配置されたカラーフィルタ基板１１とを含む。前記アレイ基板１０上には、薄膜トランジスタ（ＴＦＴ）１２及びカラーフィルタ層１３が設けられている。ここで、上述のように、各ピクセルに対応するカラーフィルタ層１３は通常、赤色（Ｒ）、緑色（Ｇ）及び青色（Ｂ）のカラーレジストで構成されており、且つ各カラーレジストのサイズ及びその配列間隔はいずれも肉眼で判別できる範囲より小さいため、肉眼で見る液晶ディスプレイには、異なる色の光（赤色光、緑色光及び青色光）を混合することで得られる色彩が表示される。前記カラーフィルタ基板１１上の薄膜トランジスタ１２に対応する位置に遮光ブロック１４が設けられているため、薄膜トランジスタ１２領域でバックライトの完全な遮光を保証できる。加えて、アレイ基板１０とカラーフィルタ基板１１との間にスペーサ１５が設けられているため、アレイ基板１０とカラーフィルタ基板１１との間にセルギャップが形成される（図中の双方向矢印を参照）。
【０００５】
図２は、従来のＲＧＢピクセルアレイの構造概略図である。図３は、図２の側面図である。図２及び図３を参照すると、ここでの薄膜トランジスタ１２は、パネル内部の導線を介してカラーフィルタ層１３領域のピクセル電極に接続されており、且つＲＧＢピクセルの垂直方向に対応する液晶の偏向を駆動制御する。
【０００６】
ディスプレイの発展に伴い、超狭額ベゼルのディスプレイは徐々に趨勢となりつつある。液晶ディスプレイ（ＬＣＤ）又は有機発光ダイオードディスプレイ（ＯＬＥＤ）のいずれも、狭額フレーム及びフレームレスによるディスプレイはより良い外観体験をもたらす。
【０００７】
しかしながら、パネルの両側、及びソースドライバ（Ｓｏｕｒｃｅ  Ｄｒｉｖｅｒ）と接触する上側を含むパネルの縁部には、各行／列のピクセルの走査線／データ線（ｇａｔｅ／ｄａｔａ  ｌｉｎｅ）及びアレイ配線（ＷＯＡ，ｗｉｒｅ  ｏｎ  ａｒｒａｙ）を接続するバスライン（Ｂｕｓｌｉｎｅ）領域が存在する。このような縁部における配線設計は必須であるものの、これら配線の存在はディスプレイパネルの表示領域から縁部までの距離を増長させ、フレームレス／超狭額フレームでの表示を比較的困難なものとし、表示領域外に比較的幅広い黒帯状の非表示領域が存在することとなる。加えて、ディスプレイパネルの解像度が高解像度（ＨＤ，Ｈｉｇｈ  Ｄｅｆｉｎｉｔｉｏｎ）から超高解像度（ＵＨＤ，Ｕｌｔｒａ  Ｈｉｇｈ  Ｄｅｆｉｎｉｔｉｏｎ）以上に上がると、増加する走査線／データ線を配置するためにより多くの領域が必要となり、フレームの境界領域を狭めることは困難になる。
【０００８】
さらに、ＬＣＤディスプレイが画質を改善するために２Ｄ１Ｇ又は他の技術を用いるにつれて、各サブピクセルに対応する薄膜トランジスタの数が大幅に増加し、特に補償回路が必要となる場合、薄膜トランジスタの数は５乃至６まで多くなる可能性がある。これらの薄膜トランジスタが占める面積は、ディスプレイの開口領域（即ち、表示領域）を大幅に縮小し、透過率を大幅に減少させている。
【発明の概要】
【発明が解決しようとする課題】
【０００９】
本発明で解決する技術課題は、薄膜トランジスタ等が占める領域面積を効果的に縮小することのできる液晶ディスプレイを提供することであり、特に複雑な駆動設計に対して、ディスプレイの開口領域を大幅に増加させ、透過率を高め、且つエネルギー消費を削減することを目的とする。
【課題を解決するための手段】
【００１０】
上記の課題を解決するために、本発明は液晶ディスプレイを提供し、当該液晶ディスプレイは、アレイ基板と、カラーフィルタ基板と、遮光層とを含み、
前記アレイ基板上には、第１薄膜トランジスタ層及び第１カラーフィルタ層が設けられており、
前記カラーフィルタ基板は前記アレイ基板に対向して設けられており、前記カラーフィルタ基板上には、第２薄膜トランジスタ層及び第２カラーフィルタ層が設けられており、前記第１カラーフィルタ層のカラーレジストと、前記第２カラーフィルタ層のカラーレジストは、互い違いに配列されており、前記第１薄膜トランジスタ層の薄膜トランジスタと、前記第２薄膜トランジスタ層の薄膜トランジスタは、互いに対向するように配置されており；
前記遮光層は、前記アレイ基板側で、前記第１薄膜トランジスタ層の薄膜トランジスタと垂直に対応する方向に設けられている。
【００１１】
本発明は液晶ディスプレイをさらに提供し、当該液晶ディスプレイは、アレイ基板と、カラーフィルタ基板とを含み、
前記アレイ基板には、前記アレイ基板上に第１薄膜トランジスタ層及び第１カラーフィルタ層が設けられており、
前記カラーフィルタ基板は前記アレイ基板に対向して設けられており、前記カラーフィルタ基板上には、第２薄膜トランジスタ層及び第２カラーフィルタ層が設けられており、前記第１カラーフィルタ層のカラーレジストと、前記第２カラーフィルタ層のカラーレジストは、互い違いに配列されている。
【００１２】
一実施形態において、前記第１薄膜トランジスタ層の薄膜トランジスタと、前記第２薄膜トランジスタ層の薄膜トランジスタは、互いに対向するように配置されている。
【００１３】
一実施形態において、前記アレイ基板側で、前記第１薄膜トランジスタ層の薄膜トランジスタと垂直に対応する方向上に、遮光層が設けられている。
【００１４】
一実施形態において、前記遮光層は、前記第１薄膜トランジスタ層の薄膜トランジスタの上方に配置されている。
【００１５】
一実施形態において、前記遮光層は、前記第１薄膜トランジスタ層の薄膜トランジスタの下方に配置されている。
【００１６】
一実施形態において、前記カラーフィルタ基板側で、前記第２薄膜トランジスタ層の薄膜トランジスタと垂直に対応する方向上に、遮光層が設けられている。
【００１７】
一実施形態において、前記遮光層は、前記第２薄膜トランジスタ層の薄膜トランジスタの上方に配置されている。
【００１８】
一実施形態において、前記遮光層は、前記第２薄膜トランジスタ層の薄膜トランジスタの下方に配置されている。
【００１９】
一実施形態において、前記第１薄膜トランジスタ層の薄膜トランジスタ上に第１フィルタ層が設けられており、前記第２薄膜トランジスタ層の薄膜トランジスタ上に第２フィルタ層が設けられている。
【００２０】
一実施形態において、前記第１カラーフィルタ層のカラーレジストと、前記第２カラーフィルタ層のカラーレジストとを、赤色カラーレジスト、緑色カラーレジスト青色カラーレジストの順に従って互い違いに配列している。
【００２１】
一実施形態において、前記第１カラーフィルタ層のカラーレジストと、前記第２カラーフィルタ層のカラーレジストとを、赤色カラーレジスト、緑色カラーレジスト、青色カラーレジスト、白色カラーレジストの順に従って互い違いに配列している。
【００２２】
一実施形態において、前記第１カラーフィルタ層のカラーレジストと、前記第２カラーフィルタ層のカラーレジストとを、赤色カラーレジスト、緑色カラーレジスト、青色カラーレジスト、黄色カラーレジストの順に従って互い違いに配列している。
【００２３】
一実施形態において、前記第１薄膜トランジスタ層は、離間して配列された複数の薄膜トランジスタを含む。
【００２４】
一実施形態において、前記第２薄膜トランジスタ層は、離間して配列された複数の薄膜トランジスタを含む。
【発明の効果】
【００２５】
本発明の利点は以下の通りである。アレイ基板及びカラーフィルタ基板のいずれにも薄膜トランジスタ及びカラーフィルタ層が設けられているため、薄膜トランジスタ等が占める領域面積を効果的に縮小するができ、特に、２Ｔ、３Ｔ等の複雑な駆動設計に対して、ディスプレイの開口領域を大幅に増加させ、透過率を高め、且つエネルギー消費を削減することができる。
【図面の簡単な説明】
【００２６】
【図１】従来の薄膜トランジスタ液晶ディスプレイの構造概略図である。
【図２】従来のＲＧＢピクセルアレイの構造概略図である。
【図３】図２の側面図である。
【図４】本発明の液晶ディスプレイの第１実施形態を示す構造概略図である。
【図５】本発明の液晶ディスプレイにおいて、第１フィルタ層のフォトレジストと、第２フィルタ層のフォトレジストとが互い違いに配列されている様子を示す概略図である。
【図６】本発明の液晶ディスプレイにおけるピクセルアレイの構造概略図である。
【図７】本発明の液晶ディスプレイの第２実施形態を示す構造概略図である。
【図８】本発明の液晶ディスプレイの第２実施形態を示す他の構造概略図である。
【発明を実施するための形態】
【００２７】
以下において、添付の図面を参照して、本発明が提供する液晶ディスプレイの具体的な実施形態について詳述する。
【００２８】
狭額フレーム又はフレームレスのディスプレイはより良い外観体験をもたらすが、縁部の配線設計により、ディスプレイパネルの表示領域から縁部までの距離が長くなり、フレームレス／超狭額フレームでの表示を比較的困難なものとし、表示領域外に比較的幅広い黒帯状の非表示領域が存在する。加えて、ディスプレイパネルの解像度が高解像度（ＨＤ，Ｈｉｇｈ  Ｄｅｆｉｎｉｔｉｏｎ）から超高解像度以上に上がると、増加する走査線／データ線を配置するためにより多くの領域が必要となり、フレームの境界領域を狭めることは困難になる。さらに、ＬＣＤディスプレイが画質を改善するために２Ｄ１Ｇ又は他の技術を用いるにつれて、各サブピクセルに対応する薄膜トランジスタの数が大幅に増加し、特に補償回路が必要となる場合、薄膜トランジスタの数は５乃至６まで多くなる可能性がある。これらの薄膜トランジスタが占める面積は、ディスプレイの開口領域（即ち、表示領域）を大幅に縮小させ、透過率を大幅に減少させている。
【００２９】
従って、本発明は、薄膜トランジスタ等が占める領域面積を効果的に縮小することのできる液晶ディスプレイを提供するものであり、特に、２Ｔ、３Ｔ等の複雑な駆動設計に対して、ディスプレイの表示領域を大幅に増加させ、透過率を高め、且つエネルギー消費を削減することができる。
【００３０】
図４は、本発明の液晶ディスプレイの第１実施形態を示す構造概略図である。図４を参照して、第１実施形態において、本発明の液晶ディスプレイは、アレイ基板２０と、前記アレイ基板２０に対向して設けられたカラーフィルタ基板３０とを含む。前記アレイ基板２０及びカラーフィルタ基板３０は、ガラス基板であってもよい。背景技術で説明したように、アレイ基板２０とカラーフィルタ基板３０との間は、スペーサ（図示せず）の支持によってセルギャップが形成されており、前記セルギャップは液晶を設置するのに用いられ、前記アレイ基板２０及び前記カラーフィルタ基板３０の周囲は、液晶の漏れを防ぐために密封されている。
【００３１】
前記アレイ基板２０上には、第１薄膜トランジスタ層２１及び第１カラーフィルタ層２２が設けられている。前記第１薄膜トランジスタ層２１は、離間して配列された複数の薄膜トランジスタ２３を含む。前記薄膜トランジスタ２３の構造は、従来技術における薄膜トランジスタの構造と同一であるため、ここではその説明を省略する。前記第１カラーフィルタ層２２は、複数の赤色レジストＲ、緑色レジストＧ、青色レジストＢ、又は複数の赤色レジストＲ、緑色レジストＧ、青色レジストＢ、白色レジストＷ、又は複数の赤色レジストＲ、緑色レジストＧ、青色レジストＢ、黄色レジストＹを含む。本実施形態では、第１カラーフィルタ層２２のカラーレジストは、隣接する２つの薄膜トランジスタ２３の間に配置されているだけでなく、隣接する薄膜トランジスタ２３上にも配置されているため、遮光作用をもたらし、薄膜トランジスタ２３の位置でバックライトの光漏れにより液晶ディスプレイのディスプレイ効果に影響を及ぼすことを防止できる。
【００３２】
前記カラーフィルタ基板３０上には、第２薄膜トランジスタ層３１及び第２カラーフィルタ層３２が設けられている。前記第２薄膜トランジスタ層３１は、離間して配列された複数の薄膜トランジスタ３３を含む。前記薄膜トランジスタ３３の構造は、従来技術における薄膜トランジスタの構造と同一であるため、ここではその説明を省略する。前記第２カラーフィルタ層３２は、複数の赤色レジストＲ、緑色レジストＧ、青色レジストＢ、又は複数の赤色レジストＲ、緑色レジストＧ、青色レジストＢ、白色レジストＷ、又は複数の赤色レジストＲ、緑色レジストＧ、青色レジストＢ、黄色レジストＹを含む。本実施形態では、第２カラーフィルタ層３２のカラーレジストは、隣接する２つの薄膜トランジスタ３３の間に配置されているだけでなく、隣接する薄膜トランジスタ３３上にも配置されているため、遮光作用をもたらし、薄膜トランジスタ３３の位置でバックライトの光漏れにより液晶ディスプレイのディスプレイ効果に影響を及ぼすことを防止できる。
【００３３】
前記第１カラーフィルタ層２２のカラーレジストと、前記第２カラーフィルタ層３２のカラーレジストは、互い違いに配列されている。図５は、本発明の液晶ディスプレイにおいて、第１フィルタ層のフォトレジストと、第２フィルタ層のフォトレジストとが互い違いに配列されている様子を示す概略図である。図６は、本発明の液晶ディスプレイにおけるピクセルアレイの構造を示す概略図である。図４、図５及び図６を参照すると、垂直方向において、カラーフィルタ基板３０上で、前記第１カラーフィルタ層２２のカラーレジストに対応する位置には、第２カラーフィルタ層３２のカラーレジストは配置されておらず、アレイ基板２０上で、前記第２カラーフィルタ層３２のカラーレジストに対応する位置には、第１カラーフィルタ層２２のカラーレジストは配置されていない。前記第１カラーフィルタ層２２のカラーレジスト及び前記第２カラーフィルタ層３２のカラーレジストは、ＲＧＢ、ＲＧＢＷ又はＲＧＢＹの順に従って配列されている。例えば、前記第１カラーフィルタ層２２のカラーレジストと、前記第２カラーフィルタ層３２のカラーレジストがＲＧＢの順で配列される場合、前記アレイ基板２０上の第１カラーレジストを赤色カラーレジストＲとしたならば、カラーフィルタ基板３０上の当該赤色カラーレジストＲに対応する位置に後続する位置で緑色カラーレジストＧを配置し、アレイ基板２０上の当該緑色カラーレジストＧに対応する位置に後続する位置で青色カラーレジストＢを配置し、カラーフィルタ基板３０上の当該青色カラーレジストＢに対応する位置に後続する位置で赤色カラーレジストＲを配置する。これによって類推されるように、前記第１カラーフィルタ層２２のカラーレジストと、前記第２カラーフィルタ層３２のカラーレジストとは互い違いに配列されている。
【００３４】
好ましくは、前記第１薄膜トランジスタ層２１の薄膜トランジスタと、前記第２薄膜トランジスタ層３１の薄膜トランジスタとを互いに対向するように配置し、すなわち、垂直方向（Ｚ方向）において、前記第１薄膜トランジスタ層２１の薄膜トランジスタと、前記第２薄膜トランジスタ層３１の薄膜トランジスタとを互いにぴったりと向かい合うように配置することで、薄膜トランジスタが占める領域の面積をさらに減少させることができる。本実施形態では、第１カラーフィルタ層２２のカラーレジストは、隣接する２つの薄膜トランジスタ２３の間に配置されているだけでなく、隣接する薄膜トランジスタ２３上にも配置されており、第２カラーフィルタ層３２のカラーレジストは、隣接する２つの薄膜トランジスタ３３の間に配置されているだけでなく、隣接する薄膜トランジスタ３３上にも配置されているため、薄膜トランジスタが占める領域には、２層のカラーレジストが形成されることとなり、薄膜トランジスタ領域の遮光効果をさらに高め、薄膜トランジスタ２３の位置でバックライトの光漏れにより液晶ディスプレイのディスプレイ効果に影響を及ぼすことを防止できる。
【００３５】
第１実施形態では、薄膜トランジスタが占める領域に２層のカラーレジストが形成されており、薄膜トランジスタ領域の遮光効果を高めることで、薄膜トランジスタ２３の位置でバックライトの光漏れにより液晶ディスプレイのディスプレイ効果に影響を及ぼすことを防止できる。一方、第２実施形態では、薄膜トランジスタ領域の遮光効果をさらに高めるために、例えばブラックマトリクス（ＢＭ）のような遮光層を薄膜トランジスタ領域に配置しており、ブラックマトリクス（ＢＭ）の遮光効果はカラーレジストのそれよりも優れている。
【００３６】
図７は、本発明の液晶ディスプレイの第２実施形態を示す構造概略図である。図７を参照すると、本実施形態において、前記アレイ基板２０側で、前記第１薄膜トランジスタ層２１の薄膜トランジスタと垂直に対応する方向上に、遮光層２４が設けられている。前記遮光層２４は、薄膜トランジスタ２３の上方（即ち、カラーフィルタ基板３０に対向する側）、又は薄膜トランジスタ２３の下方（即ち、アレイ基板２０に対向する側）のいずれに配置されてもよい。図７中、前記遮光層２４は、第１薄膜トランジスタ層２１の薄膜トランジスタ２３の上面に（即ち、カラーフィルタ基板３０に対向する側の表面に）配置されている。ここで、遮光層２４を薄膜トランジスタ上に配置すると、カラーレジストを薄膜トランジスタ２３の表面に配置しない。遮光層２４の存在により、薄膜トランジスタ領域の遮光効果はさらに高められ、薄膜トランジスタ領域のバックライトを遮ることができるようになり、薄膜トランジスタ２３の位置でバックライトの光漏れにより液晶ディスプレイのディスプレイ効果に影響を及ぼすことを防止できる。
【００３７】
図８は、本発明の液晶ディスプレイの第２実施形態を示す他の構造概略図である。図８を参照すると、本実施形態では、前記カラーフィルタ基板３０側で、前記第２薄膜トランジスタ層３１の薄膜トランジスタ３３と垂直に対応する方向上に、遮光層３４が設けられている。前記遮光層３４は、薄膜トランジスタ３３の上方（即ち、アレイ基板２０に対向する側）、又は薄膜トランジスタ３３の下方（即ち、カラーフィルタ基板３０に対向する側）のいずれに配置されてもよい。図８中、前記遮光層３４は、第２薄膜トランジスタ層３１の薄膜トランジスタ３３の下面に（即ち、カラーフィルタ基板３０に対向する側の表面に）配置されている。ここで、遮光層３４を薄膜トランジスタ上に配置すると、カラーレジストを薄膜トランジスタ３３の表面に配置しない。遮光層３４の存在により、薄膜トランジスタ領域の遮光効果はさらに高められ、薄膜トランジスタ領域のバックライトを遮ることができるようになり、薄膜トランジスタ３３の位置でバックライトの光漏れにより液晶ディスプレイのディスプレイ効果に影響を及ぼすことを防止できる。
【００３８】
上述の実施形態は、単に本発明の好ましい実施形式にすぎない。ここで指摘すべき点として、本技術分野における通常の技術者は、本発明の趣旨から逸脱しない限りにおいて、若干の改良及び修正を施すことができ、これらの改良及び修正も本発明の特許請求の範囲に属するものであるとみなされるべきである。
【図１】
2020531897.tif 000003
【図２】
2020531897.tif 000004
【図３】
2020531897.tif 000005
【図４】
2020531897.tif 000006
【図５】
2020531897.tif 000007
【図６】
2020531897.tif 000008
【図７】
2020531897.tif 000009
【図８】
2020531897.tif 000010
【国際調査報告】
2020531897.tif 000011
2020531897.tif 000012
2020531897.tif 000013
2020531897.tif 000014
2020531897.tif 000015